(57)【要約】  方形底板１と、方形底板１上に固定連結される方形表面板２とを有する敷設容易な床材であって、方形底板１は、方形底板本体１ａと、方形底板本体１ａの各辺に均等に設ける複数の板状フック１ｂと、板状フック１ｂの近辺の方形底板本体１ａの外縁の下部に設け、板状フック１ｂに対応するバックル１ｄとを含み、方形底板本体１ａの両辺上の板状フック１ｂの位置と方形底板本体１ａの他の両辺上の板状フック１ｂの位置をずらして設け、方形底板本体１ａの両辺上のバックル１ｄの位置と方形底板本体１ａの他の両辺上のバックル１ｄの位置をずらして設けることにより、粘着剤または釘による固定を必要とせず、容易に敷設して固定でき、使用が容易で、構造が簡単である床材を提供する。装飾ストリップ４を採用することにより、良い装飾効果を実現する。【選択図】図１
2013515878.tif 000002
【特許請求の範囲】
【請求項１】
方形底板と、前記方形底板上に固定連結される方形表面板とを有する敷設容易な床材であって、
前記方形底板は、
方形底板本体と、
前記方形底板本体の各辺に均等に設ける複数の板状フックと、
前記板状フックの近辺の前記方形底板本体の外縁の下部に設け、前記板状フックに対応するバックルと、
を含み、
前記方形底板本体の両辺における板状フックの位置と前記方形底板本体の他の両辺における板状フックの位置をずらして設け、
前記方形底板本体の両辺におけるバックルの位置と前記方形底板本体の他の両辺におけるバックルの位置をずらして設けることを特徴とする敷設容易な床材。
【請求項２】
前記方形底板は、ブロック状の底板骨組みと、前記ブロック状の底板骨組みのブロック内に固定する機能板とを含み、
前記ブロック状の底板骨組みは、
首尾がドッキングする二つのＬ字型骨組みユニットと、
前記Ｌ字型骨組みユニットの外辺に設けるフックおよびバックルと、
を含み、
前記Ｌ字型骨組みユニットの横骨組み端部に嵌合凸部を設け、当該嵌合凸部に対応して縦骨組み端部内側に嵌合凹部を設け、または縦骨組み端部内側に嵌合凸部を設け、当該嵌合凸部と対応して前記Ｌ字型骨組みユニットの横骨組み端部に嵌合凹部を設け、
前記一つのＬ字型骨組みユニットの嵌合凸部および嵌合凹部と、前記他の一つのＬ字型骨組みユニットの嵌合凹部および嵌合凸部とがドッキングすることを特徴とする請求項１に記載の敷設容易な床材。
【請求項３】
前記板状フックのフック頭の内側から前記方形底板本体の辺までの距離と、バックルのバックル頭の内側から前記方形底板本体の辺までの距離とが等しいであることを特徴とする請求項１または２に記載の敷設容易な床材。
【請求項４】
前記方形底板の板状フックの両側の根部に前記方形底板本体の辺に垂直な切欠きを設け、
前記バックル両側の前記方形底板本体の辺上の位置に前記方形底板本体の辺に垂直な切欠きを設けることを特徴とする請求項３に記載の敷設容易な床材。
【請求項５】
前記板状フック上にスルーホールを設けることを特徴とする請求項４に記載の敷設容易な床材。
【請求項６】
装飾ストリップ本体と、
前記装飾ストリップ本体の側辺から外方に突出し、前記方形底板本体の外縁の下部に設けるバックルと対応する前記装飾ストリップ本体の片側または両側に設ける板状フックと、
前記装飾ストリップ本体の片側または両側の外縁の下部に設け、前記方形底板本体の辺上に設けるフックと対応するバックルと、
を有する装飾ストリップを設けることを特徴とする請求項１、２、４、５のいずれか一項に記載の敷設容易な床材。
【請求項７】
装飾ストリップ本体と、
前記装飾ストリップ本体の側辺から外方に突出し、前記方形底板本体の外縁の下部に設けるバックルと対応する前記装飾ストリップ本体の片側または両側に設ける板状フックと、
前記装飾ストリップ本体の片側または両側の外縁の下部に設け、前記方形底板本体の辺上に設けるフックと対応するバックルと、
を有する装飾ストリップを含むことを特徴とする請求項３に記載の敷設容易な床材。
【請求項８】
前記装飾ストリップの両側に、前記装飾ストリップ本体の側辺から外方に突出し、前記方形底板本体の外縁の下部に設けるバックルと対応する板状フックと、前記装飾ストリップ本体の両側の外縁の下部に設ける前記方形底板本体の辺上に設けるフックと対応するバックルと、を設け、
前記装飾ストリップ本体の両端が９０度を成すことを特徴とする請求項６に記載の敷設容易な床材。
【請求項９】
前記装飾ストリップの両側に、前記装飾ストリップ本体の側辺から外方に突出し、前記方形底板本体の外縁の下部に設けるバックルと対応する板状フックと、前記装飾ストリップ本体の両側の外縁の下部に設ける前記方形底板本体の辺上に設けるフックと対応するバックルと、を設け、
前記装飾ストリップ本体の両端が９０度を成すことを特徴とする請求項７に記載の敷設容易な床材。
【請求項１０】
前記装飾ストリップの同じ側に、前記装飾ストリップ本体の側辺から外方に突出し、前記方形底板本体の外縁の下部に設けるバックルと対応する板状フックと、前記方形底板本体の辺上に設けるフックと対応するバックルとを設けることを特徴とする請求項６に記載の敷設容易な床材。
【請求項１１】
前記装飾ストリップの同じ側に、前記装飾ストリップ本体の側辺から外方に突出し、前記方形底板本体の外縁の下部に設けるバックルと対応する板状フックと、前記方形底板本体の辺上に設けるフックと対応するバックルとを設けることを特徴とする請求項７に記載の敷設容易な床材。
【請求項１２】
前記板状フックが前記装飾ストリップの板面に垂直に形成され、前記バックルが垂直においた装飾ストリップの下部端面の下に位置することを特徴とする請求項８〜１０のいずれか一項に記載の敷設容易な床材。
【請求項１３】
前記垂直においた装飾ストリップ本体の下辺の側面に、正方形の表面板と適合する嵌合溝を設けることを特徴とする請求項１２に記載の敷設容易な床材。
【請求項１４】
前記垂直においた装飾ストリップ本体に凹溝部を設け、
前記凹溝部の内部にスルーホールを設け、前記凹溝部に装飾ブロックを設けることを特徴とする請求項１２に記載の敷設容易な床材。
【請求項１５】
前記垂直においた装飾ストリップ本体に凹溝部を設け、
前記凹溝部の内部にスルーホールを設け、前記凹溝部に装飾ブロックを設けることを特徴とする請求項１３に記載の敷設容易な床材。
【請求項１６】
前記装飾ストリップ本体の上部表面が円弧面であり、前記円弧面の一辺と前記板状フックとの間に嵌合隙間を形成することを特徴とする請求項１２に記載の敷設容易な床材。
【発明の詳細な説明】
【技術分野】
【０００１】
本発明は、床材に関する。
【背景技術】
【０００２】
既存の床材は、一般的に板本体と、板本体の周辺に設ける連結用突出部により構成され、敷設時は、一枚の床材を他の一枚の床材の連結用突出部にクロスして、粘着剤または釘により固定連結している。このような床材は、粘着剤または釘により固定連結することが必須となるため、使用するのに非常に不便である。
【発明の概要】
【発明が解決しようとする課題】
【０００３】
本発明は、便利に使用でき、かつ構造が簡単で敷設容易な床材を提供することを目的とする。
【課題を解決するための手段】
【０００４】
上記の目的を達成するための本発明に係る床材は、方形底板と、方形底板上に固定連結される方形表面板とを有する敷設容易な床材であって、方形底板は、方形底板本体と、方形底板本体の各辺に均等に設け、方形底板本体の辺の外に突出する複数の板状フックと、板状フックの近辺の方形底板本体の外縁の下部に設け、板状フックに対応するバックルと、を含み、方形底板本体の両辺における板状フックの位置と方形底板本体の他の両辺における板状フックの位置をずらして設け、方形底板本体の両辺におけるバックルの位置と方形底板本体の他の両辺におけるバックルの位置をずらして設ける。
【０００５】
使用時は、一枚の床材の辺を他の一枚の床材の辺に結合させる。結合時には、両辺の板状フックおよびバックルの位置をずらして設ける。
【０００６】
こうすると、一枚の床材の辺における板状フックおよびバックルは、他の一枚の床材におけるバックルおよび板状フックと結合でき、フック・バックル連結方式となる。
【０００７】
したがって、一辺の板状フックとバックルが離脱しても、他の一辺の板状フックとバックルは依然として結合しているため、二枚の床材の連結を保証している。また、粘着剤または釘を必要とせず、地面に敷設した床材を堅固に連結することができる。
【０００８】
ここで、方形底板は、ブロック状の底板骨組みと、ブロック状の底板骨組みのブロック内に固定する機能板とを含み、ブロック状の底板骨組みは、首尾がドッキングする二つのＬ字型骨組みユニットと、Ｌ字型骨組みユニットの外辺に設けるフックおよびバックルとを含む。
【０００９】
Ｌ字型骨組みユニットの横骨組み端部に嵌合凸部を設け、当該嵌合凸部に対応して縦骨組み端部内側に嵌合凹部を設ける。または、縦骨組み端部内側に嵌合凸部を設け、当該嵌合凸部と対応してＬ字型骨組みユニットの横骨組み端部に嵌合凹部を設ける。
【００１０】
一つのＬ字型骨組みユニットの嵌合凸部および嵌合凹部と、他の一つのＬ字型骨組みユニットの嵌合凹部および嵌合凸部とがドッキングする。
【００１１】
底板が、二つのＬ字型骨組みユニットにより構成されるブロック状底板骨組み、および当該ブロック状の底板骨組みのブロック内に固定する機能板により構成されるため、構成部品の面積が小さく、容易に製造でき、投資額の大きい設備が不要となる。
【００１２】
面積が小さくなると、構成部品は変形しにくく、品質の安定性も有効に保証できる。
【００１３】
機能板は、実使用の需要に応じて選択できるため、製品の機能品種も多様化できる。
【００１４】
ここで、床材を密に固定連結させるため、板状フックのフック頭の内側から方形底板本体の辺までの距離と、バックルのバックル頭の内側から方形底板本体の辺までの距離とを等しくする。
【００１５】
容易に着脱できるように、板状フックの両側の根部に方形底板本体の辺と垂直する切欠きを設け、バックル両側の方形底板本体の辺上の位置に方形底板本体の辺と垂直する切欠きを設ける。
【００１６】
こうすると、着脱時には、切欠きを利用して板状フックおよびバックルを方形底板本体の辺に沿って一定の角度に曲げることができる。これにより、容易に板状フックをバックルに装着または離脱させることができる。
【００１７】
敷設後の板面の装飾図案を多様にさせるため、装飾ストリップ本体と、装飾ストリップ本体の側辺から外方に突出し、方形底板本体の外縁の下部に設けるバックルと対応する装飾ストリップ本体の片側または両側に設ける板状フックと、装飾ストリップ本体の片側または両側の外縁の下部に設け、方形底板本体の辺上に設けるフックと対応するバックルとを有する装飾ストリップを設ける。
【００１８】
使用時は、装飾ストリップにより床材と床材を連結する。ドッキング時は、装飾ストリップおよび床材の両辺の板状フックおよびバックルをずらして設ける。
【００１９】
こうすると、床材の辺における板状フックおよびバックルは、装飾ストリップのバックルおよび板状フックと結合でき、フック・バックル連結方式となる。
【００２０】
したがって、一辺の板状フックとバックルが離脱しても、他の一辺の板状フックとバックルは依然として結合しているため、装飾ストリップと床材の連結を保証している。また、粘着剤または釘を必要とせず、地面に敷設した床材を堅固に連結することができる。
【００２１】
装飾ストリップを設けることは、異なる色の装飾ストリップと床材の組合せにより、良い装飾効果を構成し、視覚上の床材と装飾ストリップとが連結する場合の隙間を薄めることができる。
【００２２】
また、一辺にのみフックおよびバックルを設ける装飾ストリップを設けることは、敷設後の床材の外縁を有効に修飾でき、敷設した床材の全体の視覚効果を向上させる。
【００２３】
ここで、床材と装飾ストリップを密に固定連結させるため、板状フックのフック頭の内側から方形底板本体の辺までの距離と、バックルのバックル頭の内側から方形底板本体の辺までの距離とを等しくする。
【００２４】
容易に着脱できるように、床材の板状フックの両側の根部に方形底板本体の辺と垂直する切欠きを設け、床材のバックル両側の方形底板本体の辺上の位置に方形底板本体の辺と垂直する切欠きを設ける。
【００２５】
こうすると、着脱時には、切欠きを利用して板状フックおよびバックルを方形底板本体の辺に沿って一定の角度に曲げることができる。これにより、容易に板状フックをバックルに装着または離脱させることができる。
【００２６】
ここで、装飾ストリップの両側に、装飾ストリップ本体の側辺から外方に突出し、方形底板本体の外縁の下部に設けるバックルと対応する板状フックと、装飾ストリップ本体の両側の外縁の下部に設ける方形底板本体の辺上に設けるフックと対応するバックルとを設ける。なお、装飾ストリップ本体の両端は９０度を成す。こうすると、床材と床材の間の装飾ストリップの端部同士を隙間なく接触させることができ、良い連結効果を実現する。
【００２７】
装飾ストリップ本体の高さと、方形底板および方形表面板の高さの合計と一致する。
【００２８】
こうすると、装飾ストリップと床材を連結後、敷設後の床材表面が平坦となる。
【００２９】
ここで、装飾ストリップの同じ側に、装飾ストリップ本体の側辺から外方に突出し、方形底板本体の外縁の下部に設けるバックルと対応する板状フックと、方形底板本体の辺上に設けるフックと対応するバックルとを設ける。
【００３０】
こうすると、装飾ストリップは敷設後の床材の外縁の修飾に利用できる。
【００３１】
ここで、装飾ストリップの同じ側に、装飾ストリップ本体の側辺から外方に突出し、方形底板本体の外縁の下部に設けるバックルと対応する板状フックと、方形底板本体の辺上に設けるフックと対応するバックルとを設ける。板状フックは装飾ストリップの板面に垂直し、バックルは垂直においた装飾ストリップの下部端面の下に位置する。
【００３２】
こうすると、このような装飾ストリップは床材と壁の結合位置に使用でき、床材から壁へ自然で美しく移行できる。
【００３３】
垂直においた装飾ストリップ本体の下辺の側面に、方形表面板と適合する嵌合溝を設け、使用時において、敷設する地面の形状により、壁に近い床材の方形底板および方形表面板を裁断して、地面の寸法に対応させる。また、方形表面板を方形底板よりも少し多めに裁断して、壁の角に固定される装飾ストリップ本体の下辺の側面に設ける嵌合溝内に嵌合できるようにする。
【発明の効果】
【００３４】
本発明は、従来の技術に比べ、異なる辺にずらして設ける板状フックおよびバックルを採用することにより、粘着剤または釘による固定を必要とせず、容易に敷設して固定でき、使用が容易で、構造が簡単である床材を提供できる。なお、装飾ストリップを採用することにより、良い装飾効果を実現できる。
【図面の簡単な説明】
【００３５】
【図１】本発明の第１実施形態の方形底板および方形表面板の構造を示す図である。
【図２】図１のＡ−Ａ部の断面図である。
【図３】図１のＢ−Ｂ部の断面図である。
【図４】図１の背面図である。
【図５】図４の部分拡大図である。
【図６】装飾ストリップの第１実施形態の構造を示す図である。
【図７】図６の背面図である。
【図８】装飾ストリップの第２実施形態の構造を示す図である。
【図９】図８の底面図である。
【図１０】装飾ストリップの第３実施形態の構造を示す図である。
【図１１】図１０の底面図である。
【図１２】装飾ストリップの第４実施形態の構造を示す図である。
【図１３】図１２のＣ−Ｃ部の断面図である。
【図１４】図１２における装飾ブロックの構造を示す図である。
【図１５】角の装飾ブロックの構造を示す図である。
【図１６】本発明の第２実施形態の方形底板および方形表面板の構造を示す図である。
【図１７】本発明の第３実施形態の方形底板の構造を示す図である。
【図１８】本発明の第４実施形態の方形底板の構造を示す図である。
【発明を実施するための形態】
【００３６】
以下、添付した図面を参照して、各実施形態により本発明を詳細に説明する。
【００３７】
（第１実施形態）
図１〜７に示すように、本発明の床材は、正方形底板１と、正方形底板１上に固定連結される正方形表面板２と、装飾ストリップ４とを有する。
【００３８】
正方形底板１は、正方形底板本体１ａと、正方形底板本体１ａの各辺に均等に設ける複数の板状フック１ｂと、板状フック１ｂの近辺の正方形底板本体１ａの外縁１ｃの下部に設け、板状フック１ｂに対応するバックル１ｄとを含む。
【００３９】
正方形底板本体１ａの両辺１ｃ１上の板状フック１ｂの位置と正方形底板本体１ａの他の両辺１ｃ２上の板状フック１ｂの位置をずらして設ける。
【００４０】
正方形底板本体１ａの両辺１ｃ１上のバックル１ｄの位置と正方形底板本体１ａの他の両辺１ｃ２上のバックル１ｄの位置をずらして設ける。
【００４１】
板状フック１ｂのフック頭１ｂ１の内側１ｂ２から正方形底板本体１ａの辺１ｃまでの距離Ｌ１と、バックル１ｄのバックル頭１ｄ１の内側１ｄ２から正方形底板本体１ａの辺までの距離Ｌ２とは等しい。
【００４２】
板状フック１ｂの両側の根部に、正方形底板本体１ａの辺１ｃと垂直する切欠き１ｅを設け、バックル１ｄ両側の正方形底板本体１ａの辺上の位置に正方形底板本体１ａの辺と垂直する切欠き１ｆを設ける。
【００４３】
地面が平坦でない場合でも、敷設された床材の平坦性を保つために、板状フック１ｂ上にスルーホール３を設ける。こうすると、平坦でない地面により敷設された床材が上側に反った場合、釘で本発明に係る床材を位置固定して上側に反らないようにするか、粘着剤をスルーホール３に流して本発明に係る床材を地面に貼りつける。
【００４４】
装飾ストリップ４は、装飾ストリップ本体４ａと、装飾ストリップ本体４ａの側辺から外方に突出し、方形底板本体１ａの外縁の下部に設けるバックル１ｄと対応する装飾ストリップ本体４ａの両側に設ける板状フック４ｂと、装飾ストリップ本体４ａの両側の外縁の下部に設け、方形底板本体１ａの辺上に設けるフック１ｂと対応するバックル４ｃと、を有する。
【００４５】
装飾ストリップ本体４ａの両端４ｄは９０度を成す。
【００４６】
装飾ストリップ本体４ａの高さは、正方形底板１および正方形表面板２の高さの合計と一致する。
【００４７】
使用時は、装飾ストリップ４により正方形底板１を、格子模様を有する床材に連結する。
【００４８】
（装飾ストリップの第２実施形態）
図８、９に示すように、装飾ストリップ４の同じ側に、装飾ストリップ本体４ａの側辺から外方に突出し、正方形底板本体１ａの外縁の下部に設けるバックル１ｄと対応する板状フック４ｂと、正方形底板本体１ａの辺上に設けるフック１ｂと対応するバックル４ｃとを設ける。
【００４９】
装飾ストリップ本体４ａの高さは、正方形底板１および正方形表面板２の高さの合計と一致する。
【００５０】
この実施形態の装飾ストリップは、敷設後の床材外縁のフック１ｂおよびバックル１ｄとの連結を通じて、敷設後の床材外縁の修飾に応用できる。
【００５１】
（装飾ストリップの第３実施形態）
図１０、１１に示すように、本実施形態と装飾ストリップの第２実施形態と異なるところは、装飾ストリップ本体４ａの上部表面が円弧面であり、円弧面の一辺４ｇと板状フック４ｂとの間に嵌合隙間４ｅを形成することにある。
【００５２】
こうすると、使用時において円弧面の一辺４ｇは正方形表面板２の上に密に接着し、円弧面の他の一辺４ｆは地面と自然に移行して、出入口を形成する。
【００５３】
（装飾ストリップの第４実施形態）
図１２、１３に示すように、本実施形態と装飾ストリップの第２実施形態と異なるところは、板状フック４ｂが装飾ストリップ本体４ａの板面に垂直に形成され、バックル４ｃが垂直においた装飾ストリップ４ａの下部端面の下に位置することにある。
【００５４】
こうすると、この実施形態の装飾ストリップは床材と壁の結合位置に使用でき、床材から壁へ自然で美しく移行できる。
【００５５】
垂直においた装飾ストリップ本体４ａの下辺の側面に、正方形表面板２と適合する嵌合溝４ｈを設け、使用時において、敷設する地面の形状により、壁に近い床材の方形底板および方形表面板を裁断して、地面の寸法に対応させる。また、正方形表面板２を正方形底板１よりも少し多めに裁断して、壁の角に固定される装飾ストリップ本体４ａの下辺の側面に設ける嵌合溝４ｈ内に嵌合できるようにする。
【００５６】
図１４に示すように、垂直においた装飾ストリップ本体４ａに凹溝部４ｉを設け、凹溝部４ｉの内部にスルーホール４ｊを設け、凹溝部に装飾ブロック５を設ける。
【００５７】
使用時は、スルーホール４ｊを通る釘は、垂直においた装飾ストリップ本体４ａを壁の角に固定して、装飾ブロック５により凹溝部４ｉを修飾する。
【００５８】
図１５に示すように、敷設後の床材の角を修飾するため、さらに突出したフック７を有する角装飾ブロック６を設ける。
【００５９】
（方形底板および方形表面板の第２実施形態）
図１６に示すように、本実施形態と第１実施形態との異なるところは、方形底板１および方形表面板２が矩形であることにある。
【００６０】
（方形底板の第３実施形態）
図１７に示すように、方形底板１は、ブロック状の底板骨組み８と、ブロック状の底板骨組み８のブロック内に固定する機能板９とを含む。
【００６１】
ブロック状の底板骨組みは、首尾がドッキングする二つのＬ字型骨組みユニット８ａと、Ｌ字型骨組みユニット８ａの外辺に設けるフック１ｂおよびバックル１ｄと、を含む。
【００６２】
Ｌ字型骨組みユニット８ａの横骨組み端部８ａ１に嵌合凸部８ｂを設け、当該嵌合凸部８ｂに対応して縦骨組み端部８ａ２内側に嵌合凹部８ｃを設ける。
【００６３】
一つのＬ字型骨組みユニット８ａの嵌合凸部８ｂおよび嵌合凹部８ｃと、他の一つのＬ字型骨組みユニット８ａの嵌合凹部８ｃおよび嵌合凸部８ｂとをドッキングする。
【００６４】
（方形底板の第４実施形態）
図１８に示すように、本実施形態と方形底板の第３実施形態と異なるところは、縦骨組み端部８ａ２内側に嵌合凸部８ｂを設け、当該嵌合凸部８ｂに対応してＬ字型骨組みユニット８ａの横骨組み端部８ａ１に嵌合凹部８ｃを設けることにある。
【００６５】
一つのＬ字型骨組みユニット８ａの嵌合凸部８ｂおよび嵌合凹部８ｃと、他の一つのＬ字型骨組みユニット８ａの嵌合凹部８ｃおよび嵌合凸部８ｂとをドッキングする。
【図１】
2013515878.tif 000003
【図２】
2013515878.tif 000004
【図３】
2013515878.tif 000005
【図４】
2013515878.tif 000006
【図５】
2013515878.tif 000007
【図６】
2013515878.tif 000008
【図７】
2013515878.tif 000009
【図８】
2013515878.tif 000010
【図９】
2013515878.tif 000011
【図１０】
2013515878.tif 000012
【図１１】
2013515878.tif 000013
【図１２】
2013515878.tif 000014
【図１３】
2013515878.tif 000015
【図１４】
2013515878.tif 000016
【図１５】
2013515878.tif 000017
【図１６】
2013515878.tif 000018
【図１７】
2013515878.tif 000019
【図１８】
2013515878.tif 000020
【国際調査報告】
2013515878.tif 000021
2013515878.tif 000022
2013515878.tif 000023
2013515878.tif 000024
2013515878.tif 000025
2013515878.tif 000026
2013515878.tif 000027
2013515878.tif 000028